(57)【特許請求の範囲】
【請求項１】
ケース本体と蓋体とを備えた収納ケースであって、
前記ケース本体は、上面及び前面に開口を有し、
前記蓋体は、天板及び前蓋を含んでなり、前記ケース本体の上面開口を前記天板が覆うとともに、前面開口を前記前蓋が覆うようにして前記ケース本体に取り付けられ、
前記前蓋の上辺と前記天板の前辺とがヒンジ構造によって回転可能に結合し、
前記蓋体を前記ケース本体に取り付けたままでも前記前蓋を捲り上げることで内部を開放して収納物の出し入れをすることができ、
前記前蓋の上辺に、外側に向けて突出する係止用凸部が形成され、
前記天板の前辺から垂直方向に一体的に垂れ下がる板状の垂下部により形成される係合部を有し、
前記前蓋が上辺を軸にして捲り上げられた第１開状態において、前記係止用凸部が前記係合部に当接し、さらに前記前蓋が捲り上げられることで、前記係合部が前記係止用凸部を乗り越えた第２開状態となったときに、前記係止用凸部が前記係合部に係合して前記前蓋を前記第２開状態で係止し、
前記係止用凸部は、前記前蓋の裏面側から肉盗みされてシェル状に形成され、
前記係止用凸部は、最も突出した部分である頂部を有し、前記頂部を挟んで一方に、前記前蓋が閉状態にあるときに前記係合部側に位置する緩やかな斜面であるスロープ面を有し、前記頂部を挟んで他方に、前記前蓋が前記第２開状態にあるときに前記係合部側に位置する急な斜面である係止面を有し、
前記スロープ面による前記係合部の乗り越えが、前記係合部の側方から前記垂下部を押して変形させてなされ、
前記スロープ面は、前記前蓋が前記第１開状態から前記第２開状態に向けて回動するときに、前記係合部との当接応力が徐々に強くなるように前記係止用凸部の頂部に向けて緩やかに傾斜し、
前記係止面は、前記第１開状態から前記第２開状態となったときに、前記当接応力を急激に減少させるとともに、前記第２開状態で前記前蓋が自重によって閉状態に向かって回転しようとするときに前記係合部に当接して前記前蓋を前記第２開状態に維持する収納ケース。
【請求項２】
ケース本体と蓋体とを備えた収納ケースにおける前記蓋体の前蓋の上辺と前記蓋体の天板とを回転可能に結合する前記収納ケースのヒンジ構造であって、
前記ケース本体は、上面及び前面に開口を有し、前記蓋体は、前記ケース本体の上面開口を前記天板が覆うとともに、前面開口を前記前蓋が覆うようにして前記ケース本体に取り付けられるものであり、
前記収納ケースは、前記蓋体を前記ケース本体に取り付けたままでも前記前蓋を捲り上げることで内部を開放して収納物の出し入れをすることができるものであり、
前記前蓋の上辺に、外側に向けて突出する係止用凸部が形成され、
前記天板の前辺から垂直方向に一体的に垂れ下がる板状の垂下部により形成される係合部を有し、
前記前蓋が上辺を軸にして捲り上げられた第１開状態において、前記係止用凸部が前記係合部に当接し、さらに前記前蓋が捲り上げられることで、前記係合部が前記係止用凸部を乗り越えた第２開状態となったときに、前記係止用凸部が前記係合部に係合して前記前蓋を前記第２開状態で係止し、
前記係止用凸部は、前記前蓋の裏面側から肉盗みされてシェル状に形成され、
前記係止用凸部は、最も突出した部分である頂部を有し、前記頂部を挟んで一方に、前記前蓋が閉状態にあるときに前記係合部側に位置する緩やかな斜面であるスロープ面を有し、前記頂部を挟んで他方に、前記前蓋が前記第２開状態にあるときに前記係合部側に位置する急な斜面である係止面を有し、
前記スロープ面による前記係合部の乗り越えが、前記係合部の側方から前記垂下部を押して変形させてなされ、
前記スロープ面は、前記前蓋が前記第１開状態から前記第２開状態に向けて回動するときに、前記係合部との当接応力が徐々に強くなるように前記係止用凸部の頂部に向けて緩やかに傾斜し、
前記係止面は、前記第１開状態から前記第２開状態となったときに、前記当接応力を急激に減少させるとともに、前記第２開状態で前記前蓋が自重によって閉状態に向かって回転しようとするときに前記係合部に当接して前記前蓋を前記第２開状態に維持するヒンジ構造。
【発明の詳細な説明】
【技術分野】
【０００１】
本発明は、前蓋を捲り上げて内部を開放するタイプの収納ケース及びそのヒンジ構造に関するものである。
【背景技術】
【０００２】
従来、上面と前面が開放された収納ケース本体と、収納ケース本体の上面と前面を覆う上蓋及び前蓋とからなる蓋体とを備え、前蓋が上蓋にヒンジ結合して上蓋から垂下し、前蓋を閉状態と開状態との間で起伏回動して開閉するタイプの収納ケースが知られている。
【０００３】
このタイプの収納ケースでは、前蓋を捲り上げた（起動回動した）状態に保持するために、前蓋と上蓋との間のヒンジ構造に係止用突起と係合部材を設けて、前蓋が所定の角度まで捲り上げられたときに、係止用突起が係合部材に当接し、そこからさらに捲り上げることで係止用突起が係合部材を乗り越えて、その後は前蓋が自重では閉状態に戻らない（伏動回動しない）ようにする構成が採用されている（例えば、特許文献１）。
【０００４】
具体的には、特許文献１の収納用ケースでは、上蓋と前蓋との間のヒンジ構造において、前蓋に係止用突起を形成するとともに、上蓋にも係合部材としての突起を設け、前蓋が所定の角度になるまで捲り上げられると、係止用突起が係合部材を乗り越えて係合部材に係合することで、前蓋の自重によって前蓋が閉まるのを制限して、前蓋が開いた状態を維持できる。
【０００５】
また、特許文献２には、上蓋を回動させるタイプの容器ではあるが、同様に上蓋を開いた状態を維持できるヒンジ構造が開示されている。
【先行技術文献】
【特許文献】
【０００６】
【特許文献１】特許第５７２１６８８号
【特許文献２】特許第３１６１６９８号
【発明の概要】
【発明が解決しようとする課題】
【０００７】
しかしながら、収納ケースの蓋体はポリプロピレン等の素材でできており、係止用突起は蓋体と一体的に射出成型によって形成される。このため、係止用突起の部分が肉厚となると、いわゆるヒケが発生し、係止用突起の寸法が安定しない。よって、製品によっては係止用突起が大きくなって係合部材を乗り越えるために必要な力が大きくなりすぎたり、逆に係止用突起が小さくなって係合部材との係合が蓋体の重さに耐えられずに前蓋の係止ができない不良製品となってしまったりする。
【０００８】
また、特許文献１及び特許文献２のヒンジ構造では、係止用突起及び係合部材の回転方向の幅が狭いため、乗り越える瞬間に内部応力が一気に解放されて、比較的大きな音鳴りが発生する。さらに、係合部材が係止用突起を乗り越える際に両者に大きな力がかかり、繰り返し使用することで摩耗により摩り減り、係合が弱くなって蓋を係止できなくなってしまう（耐久性が低い）。
【０００９】
本発明は、上蓋から垂下する前蓋を捲り上げた状態に保持するために、前蓋と上蓋との間のヒンジ構造に係止用凸部及び係合部を設けた収納ケースにおいて、製造における係止用凸部の寸法安定性を向上できる収納ケース及びそのヒンジ構造を提供することを目的とする。また、本発明の他の目的は、係止用凸部が係合部材を乗り越えることによる音鳴りの発生を抑えることである。また、本発明のさらに他の目的は、係止用凸部が係合部材を繰り返し乗り越えることによる係止用凸部及び係合部材の摩り減りに伴う蓋保持機能の低下を軽減することである。
【課題を解決するための手段】
【００１０】
本発明の一態様の収納ケースは、前面に前蓋を備えた収納ケースであって、前記前蓋の上辺と天板とがヒンジ構造によって回転可能に結合し、前記前蓋の上辺に、外側に向けて突出する係止用凸部が形成され、前記前蓋が上辺を軸にして捲り上げられた第１開状態において、前記係止用凸部が前記天板の係合部に当接し、さらに前記前蓋が捲り上げられることで、前記係合部が前記係止用凸部を乗り越えた第２開状態となったときに、前記係止用凸部が前記係合部に係合して前記前蓋を前記第２開状態で係止し、前記係止用凸部は、前記前蓋の裏面側から肉盗みされてシェル状に形成されている。
【００１１】
この構成により、前蓋を第２開状態で係止するために係合部に係合する係止用凸部が裏側から肉盗みされたシェル状に形成されるので、この係止用凸部で前蓋を成形する際のヒケが発生しにくく、前蓋を製造する際の係止用凸部の寸法安定性を向上できる。
【００１２】
上記の収納ケースにおいて、前記係止用凸部は、前記前蓋が閉状態にあるときに前記係合部側に位置するスロープ面と、前記前蓋が前記第２開状態にあるときに前記係合部側に位置する係止面とを有していてよく、前記スロープ面は、前記前蓋が前記第１開状態から前記第２開状態に向けて回動するときに、前記係合部との当接応力が徐々に強くなるように前記係止用凸部の頂部に向けて緩やかに傾斜していてよく、前記係止面は、前記第１開状態から前記第２開状態となったときに、前記当接応力を急激に減少させるとともに、前記第２開状態で前記前蓋が自重によって閉状態に向かって回転しようとするときに前記係合部に当接して前記前蓋を第２開状態に維持してよい。
【００１３】
この構成により、係止面によって前蓋を第２開状態に維持できるとともに、スロープ面を設けたとこで、前蓋を第２開状態から第１開状態に戻すときに、係合部が係止用凸部を乗り越えることによる音鳴りの発生を抑えることができ、摩耗による摩り減りも軽減できる。
【００１４】
本発明の他の態様は、収納ケースの前蓋の上辺と天板とを回転可能に結合するヒンジ構造であって、前記前蓋の上辺に、外側に向けて突出する係止用凸部が形成され、前記前蓋が上辺を軸にして捲り上げられた第１開状態において、前記係止用凸部が前記天板の係合部に当接し、さらに前記前蓋が捲り上げられることで、前記係合部が前記係止用凸部を乗り越えた第２開状態となったときに、前記係止用凸部が前記係合部に係合して前記前蓋を前記第２開状態で係止し、前記係止用凸部は、前記前蓋の裏面側から肉盗みされてシェル状に形成されている。
【００１５】
この構成によっても、前蓋を第２開状態で係止するために係合部に係合する係止用凸部が裏側から肉盗みされたシェル状に形成されるので、この係止用凸部で前蓋を成形する際のヒケが発生しにくく、前蓋を製造する際の係止用凸部の寸法安定性を向上できる。
【発明の効果】
【００１６】
本発明によれば、前蓋を第２開状態で係止するために係合部に係合する係止用凸部が裏側から肉盗みされたシェル状に形成されるので、この係止用凸部で前蓋を成形する際のヒケが発生しにくく、前蓋を製造する際の係止用凸部の寸法安定性を向上できる。
【図面の簡単な説明】
【００１７】
【図１】本発明の実施の形態の収納ケースの全体構成を示す斜視図
【図２】本発明の実施の形態の蓋体の断面図
【図３】本発明の実施の形態の収納ケースのヒンジ構造を外側から見た拡大斜視図
【図４】本発明の実施の形態の収納ケースのヒンジ構造を内側から見た拡大斜視図
【図５】本発明の実施の形態の係止手段（閉状態）の拡大断面図
【図６】本発明の実施の形態の係止手段（第１開状態）の拡大断面図
【図７】本発明の実施の形態の係止手段（第２開状態）の拡大断面図
【図８】本発明の実施の形態の係止手段（第３開状態）の拡大断面図
【発明を実施するための形態】
【００１８】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００１９】
図１は、本発明の実施の形態の収納ケースの全体構成を示す斜視図である。収納ケース１００は、ケース本体１と、ケース本体１に取り付けられる蓋体２とを備え、全体として略直方体形状に構成される。ケース本体１は、上面及び前面に開口を有する略直方体形状に形成される。蓋体２は、天板（上蓋）２１と前蓋２２とがヒンジ構造２３によって回動可能に結合して構成される。蓋体２は、ケース本体１の上面開口を天板２１が覆い、前面開口を前蓋２２が覆うようにしてケース本体１に取り付けられる。
【００２０】
天板２１及び前蓋２２は、それぞれケース本体１の上面開口を天板２１が覆い、前面開口を前蓋２２が覆うように長方形の板状に形成されている。ヒンジ構造２３は、前蓋２２の上辺と天板２１の前辺との間に設けられている。このヒンジ構造２３によって、天板２１と前蓋２２とは、辺に沿う軸周りに回動可能に連結されている。
【００２１】
図２は、蓋体２を側面側から見た断面図である。収納ケース１００は、ケース本体１から蓋体２を取り外すことで上面と前面が開放されて、収納物（例えば衣類等）を出し入れすることができるとともに、蓋体２をケース本体１に取り付けたままでも前蓋２２を捲り上げることで内部を開放して収納物の出し入れをすることができる。収納ケース１００は上下方向に積み上げて使用することが可能であり、上記のように、蓋体２をケース本体１から取り外すことなく内部を開放できるので、複数の収納ケース１００を積み上げたままでも各収納ケース１００において収納物の出し入れが可能である。
【００２２】
具体的には、蓋体２がケース本体１に取り付けられた状態で、前蓋２２の下辺を持ち上げるようにして前蓋２２を捲り上げると、前蓋２２はヒンジ構造２３によって、その上辺を回転軸にして天板２１に対して起動回動し、収納ケース１００の前面が開放される。すなわち、前蓋２２は、ヒンジ構造２３によって、その上辺で、天板２１の前辺に回動可能に垂下する。
【００２３】
さらに、ヒンジ構造２３は、蓋体２が捲り上げられた状態で前蓋の姿勢を維持するための係止手段が設けられている。この係止手段によって、前蓋２２は、前面を覆う状態から上辺を回転軸として略６０度回動させられた姿勢で維持される。以下では、前蓋２２がケース本体１の前面を覆う状態を「閉状態」といい、前蓋２２が係止手段によってその姿勢を維持する状態を「第２開状態」といい、閉状態と第２開状態との間の状態を「第１開状態」といい、前蓋２２が第２開状態を超えて限界まで開かれた状態を「第３開状態」という。前蓋２２は、閉状態から第１開状態を経て第２開状態となることができ、第２開状態から第１開状態を経て閉状態に戻ることができる。なお、閉状態で前蓋２２がその下辺付近でケース本体１に係合して閉状態をロックする機構が設けられていてもよい。
【００２４】
このように、前蓋２２を捲り上げて第２開状態でその姿勢を維持できるので、使用者は前蓋が開いた状態を維持するために前蓋２２が自重で閉まってしまわないように押さえておく必要がなく、両手を使って収納物の出し入れをすることができる。
【００２５】
図３は、ヒンジ構造２３を外側から見た拡大斜視図であり、図４は、ヒンジ構造２３を内側から見た拡大斜視図である。図３及び図４は、前蓋２２が閉状態にある状況を示している。天板２１の前辺の前方及び／又は下方には、軸２１１が天板２１と一体的に形成されている。軸２１１は、天板２１の前辺に沿う方向に延びている。軸２１１は、天板２１の前面の３か所に設けられている。
【００２６】
一方、前蓋２２の上辺には軸２１１に対応する位置に上方及び／又は後方に突出して軸受２２１が設けられている。軸受２２１には、各軸２１１の先端部分を受け入れ可能な孔が形成されている。この軸２１１と軸受２２１とでヒンジ構造２３が構成され、軸受２２１で軸２１１を軸受けすることで、前蓋２２はその上辺（天板２１の前辺の軸２１１）を回転軸として、天板２１の前辺に回動可能に支持される。
【００２７】
前蓋２２の上辺のヒンジ構造２３の近傍には、外側（前方及び上方）に向けて突出する係止用凸部２２２が形成されている。一方、天板２１の前辺には垂直方向に垂れ下がる板状の垂下部２１３が一体的に形成されており、後述するように、この垂下部２１３の係止用凸部２２２に対応する部分は係合部２１２となる。係止用凸部２２２は、前蓋２２が閉状態にあるときは、天板２１の垂下部２１３よりも前方にあり、前蓋２２が第２開状態と第３開状態との間（第２開状態及び第３開状態を含む）にあるときには、天板２１の垂下部２１３の後方に位置する。
【００２８】
図３に示すように、係止用凸部２２２は、最も突出した部分である頂部２２２３を有し、頂部２２２３を挟んで一方に緩やかな斜面であるスロープ面２２２１と、他方に急な斜面である係止面２２２２とを有する。図３に示すように、前蓋２２が閉状態にあるときには、スロープ面２２２１は頂部２２２３よりも垂下部２１３側（係合部２１２側）に位置し、後述するように、係止面２２２２は、前蓋２２が第２開状態ないし第３開状態にあるときに垂下部２１３側（係合部２１２側）に位置する。このように、係止用凸部２２２の緩急の２つの面２２２１，２２２２によって、前蓋２２は、係止用凸部２２２の部分において円筒カム形状に形成されている。
【００２９】
図４に明確に示されるように、係止用凸部２２２は、内部が中空のシェル形状を有する。前蓋２２はポリプロピレン等の樹脂を素材として射出成形により製造されるが、このシェル形状は、裏面側から肉盗み（肉抜き）をした均肉構造として形成される。仮に、係止用凸部２２２を中肉構造とする場合には、射出成型の際にこの部分にヒケが発生し、係止用凸部２２２が設計通りの高さとならないこともあるが、本実施の形態では裏から肉盗みした均肉構造としているので、係止用凸部２２２の高さを一定にすることができる。
【００３０】
図５〜図８は、係止用凸部２２２と係合部２１２とを含む係止手段の作用を説明する図である。図５は閉状態を示しており、図６は第１開状態を示しており、図７は第２開状態を示しており、図８は第３開状態を示している。使用者が前蓋２２を捲り上げて収納ケース１００の前面開口を開放する場合には、図５の閉状態から図６の第１開状態、図７の第２開状態を順に経て、図８の第３開状態とすることができ、逆に、収納ケース１００の前面開口を閉じる場合には、図８の第３開状態から図７の第２開状態、図６の第１開状態を経て、図５の閉状態とすることができる。
【００３１】
使用者が、図５に示す閉状態から前蓋２２の下側を持ち上げて前蓋２２の上辺を回転軸として起動回動させることで前蓋２２を捲り上げると、前蓋２２は第１開状態となり、図６に示すように、係止用凸部２２２のスロープ面２２２１が係合部２１２に当接する。この状態から使用者がさらに前蓋２２を捲り上げると、係合部２１２を含む垂下部２１３が徐々に変形するとともに、係止用凸部２２２と係合部２１２との当接部における当接応力が徐々に強くなる。
【００３２】
係止用凸部２２２がその頂部２２２３（軸２１１から最も離れた部分）にて係合部２１２に当接している状態（図６と図７の間の状態）が垂下部２１３の変形及び当接応力が最も大きくなる状態である。係合部２１２が頂部２２２３を超えると、係止面２２２２は比較的急な傾斜となっているので、当接応力は急に解放されて、図７の状態となり、係止用凸部２２２は垂下部２１３の内側に位置し、係合部２１２は完全に係止用凸部２２２を乗り越える。
【００３３】
使用者がさらに前蓋２２を捲り上げると、係止用凸部２２２は係合部２１２から離れて、前蓋２２は図８の第３開状態まで捲り上げられる。係合部２１２がいったん係止用凸部２２２を乗り越えると、その後に前蓋２２が閉状態に向けて伏動回動しても、図７に示す第２開状態で係止用凸部２２２の係止面２２２２が係合部２１２に当接して、その伏動回動を制限する。第２開状態から使用者がさらに閉状態に向けて前蓋２２２を押し下げて前蓋２２に回転トルクを与えると、垂下部２１３が変形しながら係止用凸部２２２を乗り越えて図６の第１開状態となり、その後に図５の閉状態となる。
【００３４】
図７に示す第２開状態で使用者が前蓋２２に閉状態に向かう方向の力を加えない場合には、前蓋２２には自重による回転トルクが作用するが、この回転トルクの大きさでは、係合部２１２は係止用凸部２２２を乗り越えることができず、したがって、前蓋２２は係止手段によって図７に示す姿勢で係止されて、第２開状態を維持する。すなわち、使用者が前蓋２２を支えなくても、第２開状態が維持される。
【００３５】
このように、係止用凸部２２２の高さは、第２開状態から第１開状態に移行する際に必要な回転トルクを決定するものであり、精密性が求められる。係止用凸部２２２の高さが設計値よりも小さすぎると第２開状態から非常に弱い力で第１開状態に移行して閉状態となってしまい、ひいては前蓋２２に働く自重による回転トルクに耐えられずに、第２開状態を維持することができなくなる。しかるに、本実施の形態の前蓋２２は、係止用凸部２２を裏から肉盗みをした均肉構造としているので、射出成形によってそれを成形する場合にも、精度を出しやすく、前蓋を製造する際の係止用凸部２２の寸法が安定する。
【００３６】
また、本実施の形態の係止用凸部２２２は、スロープ面２２２１及び係止面２２２２がいずれも傾斜面になっている。したがって、第１開状態から第２開状態になる瞬間にも係合部２１２に係っている応力は急激には解放されず、第２開状態から第１開状態になる瞬間にも係合部２１２に係っている応力は前蓋２２の伏動回動に伴って徐々に解放されるので、第１開状態と第２開状態との間での音鳴りが抑制される。
【００３７】
さらに、本実施の形態の係止用凸部２２２は、スロープ面２２２１を有する円筒カム形状に形成されているので、係止用凸部２２２はスロープ面２２２１において周方向の所定の幅をもって係合部２１２と摺動することになる。すなわち、係止用凸部２２２は、従来の係止用突起と比較して係合部２１２との接触（摩擦）面積が広く、摩擦によって係止用凸部２２２のスロープ面２２２１が磨り減ったとしても、それによる蓋保持機能への影響は小さく、蓋保持機能の低下を大きく軽減できる。
【符号の説明】
【００３８】
１００  収納ケース
１  ケース本体
２  蓋体
２１  天板（上蓋）
２１１  軸
２１２  係合部
２１３  垂下部
２２  前蓋
２２１  軸受
２２２  係止用凸部
２２２１  スロープ面
２２２２  係止面
２２２３  頂部
【図１】
0006473431.tif 000002
【図２】
0006473431.tif 000003
【図３】
0006473431.tif 000004
【図４】
0006473431.tif 000005
【図５】
0006473431.tif 000006
【図６】
0006473431.tif 000007
【図７】
0006473431.tif 000008
【図８】
0006473431.tif 000009